(57)【特許請求の範囲】
【請求項１】
窓枠と、窓枠に開閉自在に納めた障子と、障子の開閉機構と、開閉機構を手動で動かすための手動操作部と、開閉機構を電動で動かすためのモータと、モータを支持するブラケットを備え、窓枠の室内側に開閉機構の台座を設けてあり、台座は、手動操作部とモータの何れか一方を選択的に接続自在な接続部を有しており、モータは、台座の接続部に接続した状態で、ブラケットに固定してあり、ブラケットは、窓枠から離隔して台座に固定してあることを特徴とするサッシ。
【発明の詳細な説明】
【技術分野】
【０００１】
本発明は、障子の開閉を手動式とするか電動式とするかについて選択可能なサッシに関する。
【背景技術】
【０００２】
従来、すべり出し窓やルーバー窓などにおいて、窓の室内側に手動ハンドルを設けた手動開閉式のものがあった。一方、特許文献１に示すように、高所用の窓などにおいて、モータを内蔵したユニットを備える電動開閉式のものがあった。
【先行技術文献】
【特許文献】
【０００３】
【特許文献１】特開２００９−１６１９７３号公報
【発明の概要】
【発明が解決しようとする課題】
【０００４】
しかしながら、こうした従来の窓において、手動開閉式のものと電動開閉式のものとでは構造が全く異なっており、手動開閉式の窓を電動開閉式に変更することは容易ではなかった。
【０００５】
本発明は、上記事情を鑑みたものであり、障子の開閉を手動式とするか電動式とするかについて選択可能であって、その変更が容易なサッシを提供することを目的とする。
【課題を解決するための手段】
【０００６】
本発明は、窓枠と、窓枠に開閉自在に納めた障子と、障子の開閉機構と、開閉機構を手動で動かすための手動操作部と、開閉機構を電動で動かすためのモータと、モータを支持するブラケットを備え、窓枠の室内側に開閉機構の台座を設けてあり、台座は、手動操作部とモータの何れか一方を選択的に接続自在な接続部を有しており、モータは、台座の接続部に接続した状態で、ブラケットに固定してあり、ブラケットは、窓枠から離隔して台座に固定してあることを特徴とする。
【発明の効果】
【０００７】
本発明によれば、開閉機構に、手動操作部とモータの何れかを選択して接続可能であり、手動開閉式の窓を容易に電動開閉式の窓に変更することができる。また、手動開閉式のものと電動開閉式のものとで、開閉機構が共通化されるので、製造コストを抑えられる。
【図面の簡単な説明】
【０００８】
【図１】サッシのモータ取付部分の拡大図である。
【図２】（ａ）は接続部に選択的に接続する部材の説明図であり、（ｂ）はモータを接続した状態の下面図である。
【図３】サッシ（モータを接続した状態）の縦断面図である。
【図４】サッシ（モータを接続した状態）の横断面図である。
【図５】サッシ（手動操作部を接続した状態）の縦断面図である。
【発明を実施するための形態】
【０００９】
以下、本発明の実施の形態を図面に基づいて説明する。なお、本発明のサッシは、種々の窓として用いられるものであるが、ここではすべり出し窓として用いられる場合を示す。また、以下において左右とは、図４における左右方向（サッシを室内側から見た際の左右方向）を示すものとする。このサッシは、図３〜図５に示すように、窓枠１と、障子２と、障子２の開閉機構３と、手動操作部４と、モータ５と、ブラケット６を備える。ただし、手動操作部４と、モータ５及びブラケット６とは、何れか一方を選択して取り付けるものである。
【００１０】
窓枠１は、上枠１１と、下枠１２と、左右の縦枠１３を四周枠組みしたものであって、建築物の躯体の開口部に設けてある。下枠１２は、図１に示すように、アルミ製の室外側部材１２ａと、室外側部材１２ａの内周側面の室内側端部に設けた樹脂製の室内側部材１２ｂを備える。さらに、室内側部材１２ｂの室外側には、アルミ製で断面略Ｌ字形のアングル材１２ｃを設けてあり、室内側部材１２ｂの見付面とアングル材１２ｃの見付面が当接している。また、上枠１１及び縦枠１３も、下枠１２と同様にアルミ製の室外側部材と樹脂製の室内側部材からなる。そして、各枠１１，１２，１３の室内側には、額縁１４を設けてある。
【００１１】
障子２は、四周に組んだ框の内周側にガラスパネルを嵌め込んだものであって、窓枠１に開閉自在に納めてあって、室外側に向けて回転しながら開くものである。
【００１２】
また、窓枠１に、障子２の開閉機構３を設けてある。開閉機構３は、下枠１２の室内側部材１２ｂの見付面に取り付けた台座７を有している。図１及び図２に示すように、台座７は、略直方体形状であって、左右の室外側端部に左右に延出したネジ止め部７２を設けてあり、上面、側面及びネジ止め部７２を樹脂で一体に成形してあって、下側から裏蓋を組み立てネジによりネジ止めした中空構造となっている。そして、ネジ止め部７２を室内側部材１２ｂの見付面にネジ止めして取り付けてある。このネジは、室内側部材１２ｂの見付面に重なっているアングル材１２ｃの見付面にも螺合している。このように取り付けた台座７は、窓枠１から室内側に突出し、下面が額縁１４に対向した状態となる。台座７の内部には連結部材（図示省略）を納めてあり、連結部材は、台座７から窓枠１を貫通して室外側に向けて延びていて、先端が障子２に連結されている。また、台座７の上面の左側部分には、室内側上方に向けて突出した接続部７１を設けてある。接続部７１は、連結部材に接続された回転軸からなるものであって、これを回転させることにより、連結部材が伸縮して、障子２を開閉させる。
【００１３】
そして、図２（ａ）に示すように、台座７の接続部７１に、手動操作部４とモータ５の何れかを選択して接続することができる。手動操作部４とモータ５は、何れも接続部７１を回転させるためのものであって、手動操作部４を接続すれば、手動開閉式の窓となり、モータ５を接続すれば、電動開閉式の窓となる。
【００１４】
ここでは、まず手動操作部４を接続した場合について説明する。図２及び図５に示すように、手動操作部４は、柄４１と把持部４２からなるハンドルであり、柄４１の一端に把持部４２を設けてあって、他端を台座７の接続部７１に接続する。柄４１は接続部７１と一体に回転するものであり、把持部４２は柄４１に対して接続部７１の回転軸と平行な軸周りに回転自在となっている。これにより、把持部４２を把持して手回しすることで、接続部７１を回転させ、障子２を開閉できる。
【００１５】
次に、モータ５を接続した場合について説明する。図１及び図２に示すように、モータ５は、略直方体形のモータ本体５１と、モータ本体５１の室外側面から突出する駆動軸部５２を備え、駆動軸部５２が台座の接続部７１に接続する。接続部７１は、台座７の上面の左側部分に位置し、室内側上方に向けて突出しているので、モータ５も台座７の左側部分に位置し、モータ本体５１が台座７から室内側上方に向けて突出する。そして、このモータ本体５１を、ブラケット６により支持してある。ブラケット６は、図２に示すように、一枚の金属平板を折り曲げて形成したものであって、台座７の下面に当接する取付面６１と、取付面６１の左側部分から室内側上方に向けて延びモータ本体５１の下面に当接する支持面６２を備える。ただし、図２に示すように、台座７の下面とブラケット６の取付面６１の間及びモータ本体５１の下面とブラケット６の支持面６２の間には、それぞれ樹脂製でシート状の制振材８を挟み込んであり、制振材８ごと下面側からネジ止めしてある。なお、ブラケット６の取付面６１を台座７に固定するネジ６３（２か所）は、台座７の組み立てネジの一部を外して現れるネジ孔に螺合している。また、このネジ６３は皿ネジであり、ブラケット６の取付面６１の対応するネジ孔にはザグリ加工を施してあって、ネジ６３の頭部が取付面６１と面一になっている。そして、ブラケット６の取付面６１の下面側から、ネジ６３の頭部を覆うようにして、シール９を貼り付けてある。シール９は、強粘性の粘着面を有するものであって、ネジ６３の頭部とブラケット６の取付面６１に跨っている。この際、シール９の剥離を防ぐために、ブラケット６のネジ孔の周辺部に脱脂処理を施しておくことが望ましい。このようにして、モータ５がブラケットに６に固定してあり、ブラケット６が台座７に固定してあって、台座７、ブラケット６及びモータ本体５１が一体になっており、モータ５の駆動軸部５２を回転させることで、接続部７１を回転させ、障子２を開閉できる。
【００１６】
続いて、手動操作部４を備えた手動開閉式の窓（図５）を、モータ５を備えた電動開閉式の窓（図３）に変更する際の手順を説明する。まず、台座７の接続部７１から手動操作部４を取り外し、さらに障子２から連結部材（図示省略）を取り外すとともに、下枠１２から台座７を取り外す（または、下枠１２から台座７を取り外してから、接続部７１から手動操作部４を取り外す）。次に、台座７の組み立てネジの一部を外す。次に、モータ５の駆動軸部５２を接続部７１に接続し、ブラケット６の取付面６１を制振材８を挟んで台座７の下面に当接させてネジ止めし（台座７の組み立てネジを外して現れたネジ孔にネジ６３を螺合する）、ブラケット６の支持面６２を制振材８を挟んでモータ本体５１の下面に当接させてネジ止めする。次に、ブラケット６の取付面６１を台座７に固定するネジ６３の頭部を覆ってシール９を貼り付ける。次に、連結部材を障子２に連結するとともに、台座７を下枠１２の室内側部材１２ｂにネジ止めする。最後に、モータ５の駆動に必要な配線などを敷設し、変更が完了する。なお、上記と逆の手順により、電動開閉式から手動開閉式に変更することもできる。
【００１７】
このように構成した本発明のサッシによれば、開閉機構３の台座７の接続部７１に、手動操作部４とモータ５の何れかを選択して接続可能であり、手動開閉式の窓を容易に電動開閉式の窓に変更することができる。また、手動開閉式のものと電動開閉式のものとで、開閉機構３が共通化されるので、製造コストを抑えられる。そして、手動開閉式の場合と電動開閉式の場合とで、窓枠１（障子２）と台座７の位置関係は変わらないので、どちらを選択しても開閉動作に影響はない。さらに、ブラケット６は台座７に固定してあって、窓枠１からは離隔しているので、室外側からブラケット６への熱伝導を防止でき、また、台座７のネジ止め部７２が樹脂製で、台座７を固定するネジから台座７への熱伝導も防止できるので、室内側に結露が発生しない。そして、ブラケット６は、台座７とモータ本体５１に跨るだけの必要最小限の大きさにできる。これにより、モータ５とともに振動するブラケット６の表面積が小さくなり、そこから発せられる振動音を低減できるとともに、ブラケット６を小型化することで、意匠性が向上し、材料費を抑えられる。また、ブラケット６は、台座７の組み立てネジを外して現れたネジ孔にネジ６３を螺合して固定するので、台座７にブラケット６を固定するための専用のネジ孔などを設ける必要がなく、施工性が良好である。この際、利用するネジ孔は、台座７を組み立てるためのネジを螺合したネジ孔のうちの一部のみであるから、台座７が意図せず分解することはない。そして、台座７の組み立てネジは、台座７の下側面（額縁１４に対向する面）に設けてあるから、ブラケット６の固定部も台座７の下側となり、外部からほとんど見えないので、意匠性が良好である。また、ブラケット６とモータ５の駆動軸部５２とで台座７が挟持されているので、モータ５の接続部の浮き上がりや離脱を効果的に抑制して、モータ５の回転力を確実に伝達できる。そして、接続部７１の直下にブラケット６の取付面６１が位置しており、接続部７１の下側から取付面６１をネジ止めしているので、ネジレやガタツキを抑制し、安定して動作させることができる。さらに、台座７とブラケット６の間及びモータ本体５１とブラケット６の間にそれぞれ制振材８を挟み込んであるので、振動が抑えられ、動作音がより小さくなる。そして、上記のようにブラケット６が小さいので、制振材８も小さくて済み、材料費を抑えられる。また、ブラケット６の取付面６１を台座７に固定するネジ６３の頭部を覆うようにしてシール９を貼り付けてあるので、シール９の粘着力により、モータ５の振動でネジ６３が緩むことを防止し、ネジ６３やモータ５及びブラケット６の脱落を防ぐ。また、皿ネジを用いているので、ネジ６３の頭部とブラケット６が面一となり、シール９が確実に貼り付けられる。さらに、シール９でネジ６３の頭部が覆い隠されるので、意匠性が向上する。
【００１８】
本発明は、上記の実施形態に限定されない。たとえば、手動操作部は、ハンドル以外に、高所操作用のチェーンなどであってもよい。また、モータは、スイッチ操作により駆動させるものであってもよいし、センサで気温、風力や天候などを検知して自動的に制御されるものであってもよい。本発明は、上記のようにブラケットが小型であって、さらに制振材により振動が抑制されているので、動作音が小さく、自動制御により夜間に動作した場合であっても、静かな住環境を維持できる。さらに、台座は、少なくとも窓枠に対して取り付ける部分が樹脂などの断熱性材料からなるものであれば、室外側からの熱伝導を遮断できるので望ましい。また、制振材としては、一般に振動抑制に用いられる種々の樹脂や、シーラなどのゴムパッキンなど、どのような素材を用いてもよい。さらに、ブラケットの形状は、台座やモータの形状、台座の取付位置や窓種などに応じて、適宜変更できる。
【符号の説明】
【００１９】
１  窓枠
２  障子
３  開閉機構
４  手動操作部
５  モータ
６  ブラケット
７  台座
７１  接続部
【図１】
0006630635.tif 000002
【図２】
0006630635.tif 000003
【図３】
0006630635.tif 000004
【図４】
0006630635.tif 000005
【図５】
0006630635.tif 000006